【手続補正書】
【提出日】平成29年8月24日(2017.8.24)
【手続補正１】
【補正対象書類名】特許請求の範囲
【補正対象項目名】全文
【補正方法】変更
【補正の内容】
【特許請求の範囲】
【請求項１】
基地局との時分割複信（ＴＤＤ）通信においてユーザ機器（ＵＥ）によって実行されるワイヤレス通信の方法であって、
前記基地局からチャネル状態情報（ＣＳＩ）要求を受信することと、
前記ＣＳＩ要求を受信したことに応じて、ＣＳＩがアンカ基準ＴＤＤサブフレームまたは非アンカ基準ＴＤＤサブフレームに関して推定されるべきであると決定することと、
前記アンカ基準ＴＤＤサブフレームに関するアンカＣＳＩ、または前記非アンカ基準ＴＤＤサブフレームに関する非アンカＣＳＩを推定することと、
識別されたアップリンクサブフレームにおいて、前記アンカＣＳＩまたは前記非アンカＣＳＩの少なくとも一部を送信することと、ここにおいて、前記識別されたアップリンクサブフレームは、前記ＣＳＩ要求の受信の時間に少なくとも部分的に基づいて決定される、
を備える、方法。
【請求項２】
前記識別されたアップリンクサブフレームは、前記ＵＥの現在設定されたＴＤＤ  ＵＬ／ＤＬ構成とは異なる基準ＴＤＤ  ＵＬ／ＤＬ構成に基づいてさらに決定される、請求項１に記載の方法。
【請求項３】
前記送信することは、
周期的ＣＳＩ報告において前記アンカＣＳＩを送信することと、
非周期的ＣＳＩ報告において前記非アンカＣＳＩを送信することと、
を備える、請求項１に記載の方法。
【請求項４】
前記送信することは、
周期的ＣＳＩ報告において前記非アンカＣＳＩを送信することと、
非周期的ＣＳＩ報告において前記アンカＣＳＩを送信することと、
を備える、請求項１に記載の方法。
【請求項５】
前記送信することは、
非周期的ＣＳＩ報告において前記非アンカＣＳＩおよび前記アンカＣＳＩの両方を送信すること
を備える、請求項１に記載の方法。
【請求項６】
前記周期的ＣＳＩ報告は、基準ＴＤＤ  ＵＬ／ＤＬ構成によって決定された固定アップリンクサブフレームにおいて送信される、請求項３または４に記載の方法。
【請求項７】
前記アンカＣＳＩまたは前記非アンカＣＳＩは、現在のフレームインデックスに基づいて決定される、請求項１に記載の方法。
【請求項８】
前記識別されたアップリンクサブフレームは、基準ＴＤＤアップリンク／ダウンリンク（ＵＬ／ＤＬ）構成に基づいて決定される、請求項１に記載の方法。
【請求項９】
請求項１〜８のいずれか一項に記載の方法を実行するための命令を備える、コンピュータプログラム。
【請求項１０】
基地局との時分割複信（ＴＤＤ）ワイヤレス通信のために構成されたユーザ機器（ＵＥ）装置であって、
前記基地局からチャネル状態情報（ＣＳＩ）要求を受信するための手段と、
前記ＣＳＩ要求を受信したことに応じて、ＣＳＩがアンカ基準ＴＤＤサブフレームまたは非アンカ基準ＴＤＤサブフレームに関して推定されるべきであると決定するための手段と、
前記アンカ基準ＴＤＤサブフレームに関するアンカＣＳＩ、または前記非アンカ基準ＴＤＤサブフレームに関する非アンカＣＳＩを推定するための手段と、
識別されたアップリンクサブフレームにおいて、前記アンカＣＳＩまたは前記非アンカＣＳＩの少なくとも一部を送信するための手段と、ここにおいて、前記アップリンクサブフレームは、前記ＣＳＩ要求の受信の時間に少なくとも部分的に基づいて決定される、
を備える、装置。
【請求項１１】
前記識別されたアップリンクサブフレームは、前記ＵＥ装置の現在設定されたＴＤＤ  ＵＬ／ＤＬ構成とは異なる基準ＴＤＤ  ＵＬ／ＤＬ構成に基づいてさらに決定される、請求項１０に記載の装置。
【請求項１２】
前記送信するための手段は、周期的ＣＳＩ報告において前記アンカＣＳＩを送信し、非周期的ＣＳＩ報告において前記非アンカＣＳＩを送信する、請求項１０に記載の装置。
【請求項１３】
前記送信するための手段は、周期的ＣＳＩ報告において前記非アンカＣＳＩを送信し、非周期的ＣＳＩ報告において前記アンカＣＳＩを送信する、請求項１０に記載の装置。
【請求項１４】
前記送信するための手段は、非周期的ＣＳＩ報告において前記非アンカＣＳＩおよび前記アンカＣＳＩの両方を送信する、請求項１０に記載の装置。
【請求項１５】
前記アンカＣＳＩまたは前記非アンカＣＳＩは、現在のフレームインデックスに基づいて決定される、請求項１０に記載の装置。
【手続補正２】
【補正対象書類名】明細書
【補正対象項目名】００９３
【補正方法】変更
【補正の内容】
【００９３】
[0110]本開示の先の説明は、当業者が本開示を製造または使用することを可能にするために提供されている。本開示に対する様々な修正は当業者に容易に明らかになり、本明細書で定義された包括的な原理は、本開示の趣旨または範囲から逸脱することなく、他のバリエーションに適用されうる。本開示全体を通して、「例」または「実例的」という用語は例または事例を示しており、着目された例に対するいかなる選好も暗示または要求していない。したがって、本開示は、本明細書で説明されている例および設計に限定されるものではなく、本明細書で開示されている原理および新規の特徴と一致する最大範囲を与えられるものである。
以下に、本願の出願当初の特許請求の範囲に記載された発明を付記する。
［Ｃ１］
基地局との時分割複信（ＴＤＤ）通信においてユーザ機器（ＵＥ）によって実行されるワイヤレス通信の方法であって、
前記基地局からチャネル状態情報（ＣＳＩ）要求を受信することと、
前記ＣＳＩ要求を受信したことに応じて、ＣＳＩがアンカ基準ＴＤＤサブフレームまたは非アンカ基準ＴＤＤサブフレームに関して推定されるべきであると決定することと、
前記アンカ基準ＴＤＤサブフレームに関するアンカＣＳＩ、または前記非アンカ基準ＴＤＤサブフレームに関する非アンカＣＳＩを推定することと、
識別されたアップリンクサブフレームにおいて、前記アンカＣＳＩまたは前記非アンカＣＳＩの少なくとも一部を送信することと、ここにおいて、前記識別されたアップリンクサブフレームは、前記ＣＳＩ要求の受信の時間に少なくとも部分的に基づいて決定される、
を備える、方法。
［Ｃ２］
前記識別されたアップリンクサブフレームは、前記ＵＥの現在設定されたＴＤＤ  ＵＬ／ＤＬ構成とは異なる基準ＴＤＤ  ＵＬ／ＤＬ構成に基づいてさらに決定される、Ｃ１に記載の方法。
［Ｃ３］
前記送信することは、
周期的ＣＳＩ報告において前記アンカＣＳＩを送信することと、
非周期的ＣＳＩ報告において前記非アンカＣＳＩを送信することと、
を備える、Ｃ１に記載の方法。
［Ｃ４］
前記送信することは、
周期的ＣＳＩ報告において前記非アンカＣＳＩを送信することと、
非周期的ＣＳＩ報告において前記アンカＣＳＩを送信することと、
を備える、Ｃ１に記載の方法。
［Ｃ５］
前記送信することは、
非周期的ＣＳＩ報告において前記非アンカＣＳＩおよび前記アンカＣＳＩの両方を送信すること
を備える、Ｃ１に記載の方法。
［Ｃ６］
前記周期的ＣＳＩ報告は、基準ＴＤＤ  ＵＬ／ＤＬ構成によって決定された固定アップリンクサブフレームにおいて送信される、Ｃ３または４に記載の方法。
［Ｃ７］
前記基準ＴＤＤ  ＵＬ／ＤＬ構成は、レイヤ１（Ｌ１）シグナリング、媒体アクセス制御（ＭＡＣ）シグナリング、または無線リソース制御（ＲＲＣ）シグナリングを介して受信される、Ｃ６に記載の方法。
［Ｃ８］
前記周期的ＣＳＩ報告および前記非周期的ＣＳＩ報告を報告するためのアップリンクサブフレームが同じアップリンクサブフレームに対応すると決定することと、
前記同じアップリンクサブフレームにおいて前記周期的ＣＳＩ報告および前記非周期的ＣＳＩ報告を多重化することと、
をさらに備える、Ｃ６に記載の方法。
［Ｃ９］
前記周期的ＣＳＩ報告および前記非周期的ＣＳＩ報告を報告するためのアップリンクサブフレームが同じアップリンクサブフレームに対応すると決定することと、
前記同じアップリンクサブフレームにおいて前記非周期的ＣＳＩ報告を送信することと、
をさらに備える、Ｃ６に記載の方法。
［Ｃ１０］
前記非アンカ基準ＴＤＤサブフレームは、前記ＣＳＩ要求を含むダウンリンクトリガサブフレーム、および前記ダウンリンクトリガサブフレームの少なくともｋ個のサブフレーム分だけ後にある最も近い後続の非アンカダウンリンクサブフレームに基づいて決定される、Ｃ３〜５のうちのいずれか一項に記載の方法。
［Ｃ１１］
ｋはゼロ以上である、Ｃ１０に記載の方法。
［Ｃ１２］
前記アンカＣＳＩまたは前記非アンカＣＳＩが送信されるべきであることを示すシグナリングを前記基地局から受信することをさらに備え、前記シグナリングは、レイヤ１（Ｌ１）シグナリング、媒体アクセス制御（ＭＡＣ）シグナリング、または無線リソース制御（ＲＲＣ）シグナリングのうちの１つまたは複数を介して受信される、Ｃ５に記載の方法。
［Ｃ１３］
前記シグナリングは、Ｌ１シグナリングを介して受信されたｅＩＭＴＡ  ＣＳＩタイプフィールドを備える、Ｃ１２に記載の方法。
［Ｃ１４］
前記シグナリングは、ダウンリンク制御情報（ＤＣＩ）送信において受信された２ビットＣＳＩ要求フィールドを備える、Ｃ１２に記載の方法。
［Ｃ１５］
前記アンカＣＳＩまたは前記非アンカＣＳＩは、現在のフレームインデックスに基づいて決定される、Ｃ１に記載の方法。
［Ｃ１６］
前記アンカＣＳＩおよび前記非アンカＣＳＩは、交互のフレームにおいて報告される、Ｃ１５に記載の方法。
［Ｃ１７］
前記識別されたアップリンクサブフレームは、基準ＴＤＤアップリンク／ダウンリンク（ＵＬ／ＤＬ）構成に基づいて決定される、Ｃ１に記載の方法。
［Ｃ１８］
前記識別されたアップリンクサブフレームは、前記ＣＳＩ要求を含むダウンリンクトリガサブフレーム、および前記ダウンリンクトリガサブフレームの少なくともｋ個のサブフレーム分だけ後にある最も近い後続の非アンカアップリンクサブフレームに基づいて決定される、Ｃ１７に記載の方法。
［Ｃ１９］
ｋはゼロ以上である、Ｃ１８に記載の方法。
［Ｃ２０］
基地局との時分割複信（ＴＤＤ）ワイヤレス通信のために構成されたユーザ機器（ＵＥ）装置であって、
前記基地局からチャネル状態情報（ＣＳＩ）要求を受信することと、
前記ＣＳＩ要求を受信したことに応じて、ＣＳＩがアンカ基準ＴＤＤサブフレームまたは非アンカ基準ＴＤＤサブフレームに関して推定されるべきであると決定することと、
前記アンカ基準ＴＤＤサブフレームに関するアンカＣＳＩ、または前記非アンカ基準ＴＤＤサブフレームに関する非アンカＣＳＩを推定することと、
識別されたアップリンクサブフレームにおいて、前記アンカＣＳＩまたは前記非アンカＣＳＩの少なくとも一部を送信することと、ここにおいて、前記識別されたアップリンクサブフレームは、前記ＣＳＩ要求の受信の時間に少なくとも部分的に基づいて決定される、
を行うように構成されたプロセッサと、
前記プロセッサに結合されたメモリと、
を備える、装置。
［Ｃ２１］
基地局との時分割複信（ＴＤＤ）ワイヤレス通信のために構成されたユーザ機器（ＵＥ）装置であって、
前記基地局からチャネル状態情報（ＣＳＩ）要求を受信するための手段と、
前記ＣＳＩ要求を受信したことに応じて、ＣＳＩがアンカ基準ＴＤＤサブフレームまたは非アンカ基準ＴＤＤサブフレームに関して推定されるべきであると決定するための手段と、
前記アンカ基準ＴＤＤサブフレームに関するアンカＣＳＩ、または前記非アンカ基準ＴＤＤサブフレームに関する非アンカＣＳＩを推定するための手段と、
識別されたアップリンクサブフレームにおいて、前記アンカＣＳＩまたは前記非アンカＣＳＩの少なくとも一部を送信するための手段と、ここにおいて、前記アップリンクサブフレームは、前記ＣＳＩ要求の受信の時間に少なくとも部分的に基づいて決定される、
を備える、装置。
［Ｃ２２］
前記識別されたアップリンクサブフレームは、前記ＵＥ装置の現在設定されたＴＤＤ  ＵＬ／ＤＬ構成とは異なる基準ＴＤＤ  ＵＬ／ＤＬ構成に基づいてさらに決定される、Ｃ２１に記載の装置。
［Ｃ２３］
前記送信するための手段は、周期的ＣＳＩ報告において前記アンカＣＳＩを送信し、非周期的ＣＳＩ報告において前記非アンカＣＳＩを送信する、Ｃ２１に記載の装置。
［Ｃ２４］
前記送信するための手段は、周期的ＣＳＩ報告において前記非アンカＣＳＩを送信し、非周期的ＣＳＩ報告において前記アンカＣＳＩを送信する、Ｃ２１に記載の装置。
［Ｃ２５］
前記送信するための手段は、非周期的ＣＳＩ報告において前記非アンカＣＳＩおよび前記アンカＣＳＩの両方を送信する、Ｃ２１に記載の装置。
［Ｃ２６］
前記周期的ＣＳＩ報告は、基準ＴＤＤ  ＵＬ／ＤＬ構成によって決定された固定アップリンクサブフレームにおいて送信される、Ｃ２３または２４に記載の装置。
［Ｃ２７］
前記周期的ＣＳＩ報告および非周期的ＣＳＩ報告を報告するためのアップリンクサブフレームが同じアップリンクサブフレームに対応すると決定するための手段と、
前記同じアップリンクサブフレームにおいて前記周期的ＣＳＩ報告および前記非周期的ＣＳＩ報告を多重化するための手段と、
をさらに備える、Ｃ２６に記載の装置。
［Ｃ２８］
前記非アンカ基準ＴＤＤサブフレームは、前記ＣＳＩ要求を含むダウンリンクトリガサブフレーム、および前記ダウンリンクトリガサブフレームに続く最も近い後続の非アンカダウンリンクサブフレームに基づいて決定される、Ｃ２３〜２５のうちのいずれか一項に記載の装置。
［Ｃ２９］
前記アンカＣＳＩまたは前記非アンカＣＳＩは、現在のフレームインデックスに基づいて決定される、Ｃ２１に記載の装置。
［Ｃ３０］
ユーザ機器（ＵＥ）による時分割複信（ＴＤＤ）ワイヤレス通信のためのコンピュータプログラム製品であって、
基地局からチャネル状態情報（ＣＳＩ）要求を受信することと、
前記ＣＳＩ要求を受信したことに応じて、ＣＳＩがアンカ基準ＴＤＤサブフレームまたは非アンカ基準ＴＤＤサブフレームに関して推定されるべきであると決定することと、
前記アンカ基準ＴＤＤサブフレームに関するアンカＣＳＩ、または前記非アンカ基準ＴＤＤサブフレームに関する非アンカＣＳＩを推定することと、
識別されたアップリンクサブフレームにおいて、前記アンカＣＳＩまたは前記非アンカＣＳＩの少なくとも一部を送信することと、ここにおいて、前記識別されたアップリンクサブフレームは、前記ＣＳＩ要求の受信の時間に少なくとも部分的に基づいて決定される、
のためのコードを備える非一時的なコンピュータ可読媒体、を備えるコンピュータプログラム製品。